(57)【要約】  【課題】成形合板により、絞り加工が必要となる箇所を有する形状の立体構造物を実現する。  【解決手段】複数枚の単板を重合させてなる合板を用いた立体構造物たるシェル構造体Ｓに、各単板に破壊を招く程度の圧縮や伸びを強要しない範囲で湾曲成形してなる複数個（２個）の半成形部品たる座シェル１及び背シェル２を具備し、それら座シェル１及び背シェル２を、その小口端面１ａ、２ａ同士を突き合わせて接合してなる構成を採用する。  【選択図】図５
2008113846.tif 000002
【特許請求の範囲】
【請求項１】
複数枚の単板を重合させてなる合板を用いた立体構造物であって、各単板に破壊を招く程度の圧縮や伸びを強要しない範囲で湾曲成形してなる複数個の半成形部品を具備し、それら半成形部品を、その小口端面同士を突き合わせて接合してなることを特徴とする立体構造物。
【請求項２】
前記各半成形部品が、平面部と、一方向のみに延伸する形状の突起又は凹部とのみからなることを特徴とする請求項１記載の立体構造物。
【請求項３】
略同一形状の２つの半成形部品を、その小口端面同士を突き合わせて接合してなることを特徴とする請求項１又は２記載の立体構造物。
【請求項４】
前記半成形部品の１つが椅子の座シェルとなるべき部材であり、前記半成形部品の他の１つが椅子の背シェルとなるべき部材であることを特徴とする請求項２又は３記載の立体構造物。
【請求項５】
前記椅子の座シェルとなるべき部材と、前記椅子の背シェルとなるべき部材との間に隙間を設けていることを特徴とする請求項４記載の立体構造物。
【請求項６】
前記椅子の座シェルとなるべき部材の小口端面の幅方向中央部の後方に、前記椅子の背シェルとなるべき部材の幅方向中央部を配していることを特徴とする請求項４又は５記載の立体構造物。
【請求項７】
２つの半成形部品が幅方向両端部にそれぞれ平面部を有するとともに、これら平面部同士を接合した部位を肘当て部としていることを特徴とする請求項４、５又は６記載の立体構造物。
【発明の詳細な説明】
【技術分野】
【０００１】
本発明は、複数枚の単板を重合させてなる合板を用いた立体構造物に関する。
【背景技術】
【０００２】
従来、接着剤を塗布した複数枚の単板を重ね合わせてなる合板にプレスを用いて加圧する方法や、型上にセットした合板を多数の万力で圧着する方法や、型上にセットした合板を加圧気体又は加圧液体を注入した袋体により押圧する方法等により木材を利用して屈曲部分が存在する立体構造物を成形し、曲面部分を有する木製立体構造物を形成することが考えられてきている（例えば、特許文献１を参照）。
【特許文献１】特開平５−２４００５号公報
【発明の開示】
【発明が解決しようとする課題】
【０００３】
ところで、木板は、金属板と比較して、延伸加工あるいは絞り加工を施すために必要な塑性が低いので、成形合板により形成できる形状は限られていた。例えば、幅方向両端部に表面が前上方を向く平面である肘当て部を有し、この肘当て部の表面が背凭れ面及び座面に滑らかに連続する形状の背座一体型椅子のシェルは、背凭れ面を形成すべき部分を肘当て面に対して後方に、座面を形成すべき部分を肘当て面に対して下方に張り出させ、さらに背座の境界部に向かうに従い張り出し幅を大きくする必要がある。加えて、このようなシェルを実現するには、背座境界部では肘当て面に対して後下方に大きく張り出しつつ背凭れ面と座面とを滑らかに接続させるよう、言い換えれば幅方向中央部に形成した凹部をさらに屈曲させるよう成形する必要がある。しかして、背座境界部近傍では単板を幅方向に大きく延伸させた上に、背凭れ面と座面との境界部分では単板を高さ方向にも延伸させない限り、このような形状は実現できない。ところが、このように単板を延伸させると、特に背座境界部の幅方向中央近傍では、単板に対して幅方向及び高さ方向に大きな引張り力が同時に働き、単板が破損してしまう。すなわち、従来の合板の湾曲成形方法では、背座一体型椅子のシェル等、単板を塑性変形させて大きな引張り力ないし圧縮力を加える必要がある箇所を有する立体構造物を成形することが非常に困難であるという不具合が存在する。このような不具合は、このような椅子のシェルに限らず、１枚の金属板に対する加工により実現する場合に、絞り加工等により単板を大きく延伸させる必要がある箇所を有する形状を成形合板により実現しようとする場合には一般的に存在する。
【０００４】
本発明は、以上に述べた課題を解決すべく、すなわち成形合板により、絞り加工が必要となる箇所を有する形状の立体構造物を実現すべく構成するものである。
【課題を解決するための手段】
【０００５】
すなわち本発明に係る立体構造物は、複数枚の単板を重合させてなる合板を用いた立体構造物であって、各単板に破壊を招く程度の圧縮や伸びを強要しない範囲で湾曲成形してなる複数個の半成形部品を具備し、それら半成形部品を、その小口端面同士を突き合わせて接合してなることを特徴とする。
【０００６】
このように構成すれば、各単板に破壊を招く程度の圧縮や伸びを強要するような加工が必要な箇所、すなわち単板が塑性変形することが要求される箇所を、各単板に破壊を招く程度の圧縮や伸びを強要しない範囲で可能な湾曲成形、すなわち単板に塑性変形を要求しない湾曲成形のみにより形成可能な形状に分割して合板によりこのような箇所を有する立体構造物を形成できる。すなわち、上述した形状を有する型を用いて接着剤を予め塗布した複数枚の単板を圧着する等の方法により成形合板による半成形部品を成形し、こうして成形された半成形部品を、その小口端面同士を突き合わせて接合するという工程により、金属板を用いて成形する場合に絞り加工が必要となるような形状の立体構造物を、合板により、単板を大きく延伸ないし圧縮させることなく実現できる。なお、本発明において、半成形部品は、２個である必要はなく、３個以上であってもよい。
【０００７】
このような立体構造物の具体的な態様の一例として、前記各半成形部品が、平面部と、一方向のみに延伸する形状の突起又は凹部とのみからなるものが挙げられる。このようなものであれば、突起又は凹部をさらに屈曲させるべく単板を大きく延伸させる必要がある部位をなくすことができるからである。
【０００８】
また、このような立体構造物の最も簡単な例として、略同一形状の２つの半成形部品を、その小口端面同士を突き合わせて接合してなるものが挙げられる。
【０００９】
一方、このような構成により簡単に形成できる立体構造物として、前記半成形部品の１つが椅子の座シェルとなるべき部材であり、前記半成形部品の他の１つが椅子の背シェルとなるべき部材であるものが挙げられる。このようなものであれば、それぞれの半成形部品を形成すべき単板に対して、一側端縁の幅方向中央部に座面又は背凭れ面を形成すべき箇所に略同一形状の凹部を形成し、２つの半成形部品を小口端面同士を突き合わせて接合すれば背座一体型椅子のシェルを形成できるからである。
【００１０】
特に、前記椅子の座シェルとなるべき部材と、前記椅子の背シェルとなるべき部材との間に隙間を設けているものであれば、この隙間に、この立体構造物の外面を被覆する張り地の余剰部分を押し込むことができるからである。
【００１１】
さらに、前記椅子の座シェルとなるべき部材の小口端面の幅方向中央部の後方に、前記椅子の背シェルとなるべき部材の幅方向中央部を配しているものであれば、座としての使用時には座シェルの小口端面は背シェルにより被覆され、椅子としての見栄えを損なわないようにできる。
【００１２】
そして、２つの半成形部品が幅方向両端部にそれぞれ平面部を有するとともに、これら平面部同士を接合した部位を肘当て部としているものであれば、背座一体型椅子のシェルとしての一体感をより増すことができる。
【発明の効果】
【００１３】
本発明によれば、各単板に破壊を招く程度の圧縮や伸びを強要するような加工が必要な箇所、すなわち単板が塑性変形することが要求される箇所を、各単板に破壊を招く程度の圧縮や伸びを強要しない範囲で可能な湾曲成形、すなわち単板に大幅な塑性変形を要求しない湾曲成形のみにより形成可能な形状に分割して合板によりこのような箇所を有する立体構造物を形成できる。すなわち、上述した形状を有する型を用いて接着剤を予め塗布した複数枚の単板を圧着する等の方法により成形合板による半成形部品を成形し、こうして成形された半成形部品を、その小口端面同士を突き合わせて接合するという工程により、金属板を用いて成形する場合に絞り加工が必要となるような形状の立体構造物を、合板により、単板を大きく延伸又は圧縮させることなく実現できる。
【発明を実施するための最良の形態】
【００１４】
以下、本発明の一実施形態を、図面を参照して説明する。
【００１５】
本実施形態に係る立体構造物たるシェル構造体Ｓは、図１ないし図５に示すように、木製背座一体型椅子のシェルとして用いられる木製構造体であり、幅方向中央部に座クッションを配置すべき面である座シェル面１ｂを有する座部１３、及び背クッションを配置すべき面である背シェル面２ｂを有する背凭れ部２３を設けている。これら座部１３及び背凭れ部２３は、幅方向中央部に向かいそれぞれ下方及び後方に張り出す凹部である。その一方で、座シェル面１ｂは略鉛直上方、背シェル面２ｂは前上方を向き、１枚の板材を湾曲成形してこれら座部１３及び背凭れ部２３の境界部を滑らかな曲面として成形する場合、この板材の該当箇所は左右両側方、背凭れ部の上方、及び座部の前方に向かう引張り力を受ける。また、単板をこのように成型する場合、該当箇所に絞り加工を施す必要がある。しかして本実施形態では、上述したようにこの箇所、すなわち背座境界部でシェル構造体Ｓを分割したものである２つの半成形部品の小口端面同士を突き合わせて接合することにより形成している。具体的には、座部を有する第１の半成形部品（以下座シェル１と称する）と、背凭れ部を有する第２の半成形部品（以下背シェル２と称する）とを備え、前記座シェル１の小口端面１ａと前記背シェル２の小口端面２ａとを突き合わせて接合することにより形成している。これら座シェル１及び背シェル２は、いずれも各単板に破壊を招く程度の圧縮や伸びを強要しない範囲で湾曲成形させてなるとともに複数枚の単板を接着剤により接合してなる合板製のものである。さらに詳述すると、これら座シェル１及び背シェル２の湾曲成形は、単板の各部位に対して一方向にのみ引張り力が作用するように行っている。そして、これら座シェル１及び背シェル２は、本実施形態では略同一形状としている。ここで、前記図１にはこのシェル構造体Ｓの斜視図、前記図にはこのシェル構造体Ｓの底面斜視図、前記図３にはこのシェル構造体Ｓの側面図、前記図４にはこのシェル構造体Ｓの正面図、前記図５にはこのシェル構造体Ｓの分解斜視図をそれぞれ示している。
【００１６】
具体的には、前記座シェル１は、肘当ての下部を構成すべき平面部である下肘平面部１１を残し、その他の部分を下方に突出し後方に向けて延伸する凹部としている。この凹部は、曲率半径が大きく幅方向中央部に位置する座部１３と、この座部１３と前記下肘平面部１１とを接続し曲率半径が小さい接続部１２とを備えている。そして、前記座部１３の上面を、座クッションを配置すべき面である座シェル面１ｂとしている。すなわち、この座シェル１は、一方向、すなわち後方のみに延伸する凹部（接続部１２及び座部１３）と、平面部（下肘平面部１１）とのみからなる。この座シェル１は、単板を上述した形状に湾曲させ、このように湾曲させた単板を接合させて形成している。なお、湾曲成形の際の具体的な加圧方法、及び湾曲成形の具体的な手順については、周知のものであるため説明は省略する。
【００１７】
一方、前記背シェル２は、肘当ての上部を構成すべき平面部である上肘平面部２１を残し、その他の部分を後方に突出し下方に向けて延伸する凹部としている。この凹部は、曲率半径が大きく幅方向中央部に位置する背凭れ部２３と、この背凭れ部２３と前記上肘平面部２１とを接続し曲率半径が小さい接続部２２とを備えている。そして、前記背凭れ部２３の前面を、背クッションを配置すべき面である背シェル面２ｂとしている。すなわち、この背シェル２は、一方向、すなわち下方のみに延伸する凹部（接続部２２及び背凭れ部２３）と、平面部（上肘平面部２１）とのみからなる。この背シェル２は、単板を上述した形状に湾曲させ、このように湾曲させた単板を接合させて形成している。なお、湾曲成形の際の具体的な加圧方法、及び湾曲成形の具体的な手順については、周知のものであるため説明は省略する。
【００１８】
そして、このシェル構造体Ｓは、上述したように、前記座シェル１の小口端面１ａと、前記背シェル２の小口端面２ａとを突き合わせて接合することにより形成している。具体的には、前記図５に示すように、前記座シェル１の小口端面１ａ及び背シェル２の小口端面２ａの幅方向両端部及びその近傍に予めダボ穴１ｘ、２ｘを互いに対向させて複数組設け、接着剤を塗布したダボ３をこのダボ穴１ｘ、２ｘに挿通して接合するようにしている。また、ダボ３に塗布した接着剤が固化する以前のこれら座シェル１及び背シェル２の離間を防ぐべく、下方に開口したコの字形の接合金具４をこれら座シェル１及び背シェル２に跨るようにして打ち付けるようにしている。その際、前記下肘平面部１１と前記上肘平面部２１とは面一となるように接合している。そして、これら座シェル１及び背シェル２に形成される後述する隙間ＳＰの左右両側近傍には、補強具たる蝶番５をこれら座シェル１及び背シェル２に跨り取り付けるようにしている。なお、接合の際にこれら下肘平面部１１と上肘平面部２１との境界において段差が生じた場合は、紙ヤスリなどの手段により平滑な平面となるよう加工するようにしている。
【００１９】
また、本実施形態では、上述したように、単一の型により双方を成形可能にすべく、前記座シェル１と、前記背シェル２とを略同一形状としている。しかして、これら座シェル１及び背シェル２を成形する際には、接着剤が乾燥し合板として完成した時点で、これらを構成する合板の曲率が一致し幅方向の全領域に亘って小口端面１ａ、２ａ同士を完全に突き合わせることが可能である場合は少ない。本実施形態は、このことを逆用して背座一体型椅子のシェル構造体Ｓとして好適に構成すべく、以下のように構成している。すなわち、前記下肘平面部１１と前記上肘平面部２１とは略完全に面一となるように接合し、座シェル面１ｂ及び背シェル面２ｂを形成した部分すなわち幅方向中央部に生じた隙間はそのままシェル構造体Ｓの外面を被覆する張り地の余剰部分を押し込むことの可能な隙間ＳＰとしている。また、接合を行うまでは、特定の半成形部品を前記座シェル１又は前記背シェル２のいずれとするかは特定せず、単板間を接着する接着剤が乾燥固化した時点で曲率半径の小さな半成形部品を背シェル２に決定する。このように決定した後座シェル１と背シェル２とを接合すると、前記座シェル１の小口端面１ａの幅方向中央部の後方に背シェル２の幅方向中央部が位置し、背座一体型椅子のシェル構造体Ｓとしての使用時には、前記座シェル１の小口端面１ａは前記背シェル２により後方空間から隠蔽される。そして、座シェル１の座シェル面１ｂの中央部には、椅子の脚（図示略）を取り付けるべく雌ネジ孔１ｙを形成するようにしている。
【００２０】
以上に述べたように、本実施形態に係るシェル構造体Ｓは、各単板に破壊を招く程度の圧縮や伸びを強要しない範囲で湾曲成形してなる座シェル１及び背シェル２を具備し、それら座シェル１及び背シェル２を、その小口端面１ａ、２ａ同士を突き合わせて接合してなる。これら座シェル１及び背シェル２は、このシェル構造体Ｓを１枚の板材から形成する場合に各単板に塑性変形を要求するような箇所すなわち背座境界部を分割し、各単板に破壊を招く程度の圧縮や伸びを強要しない範囲で可能な湾曲成形のみにより形成可能な形状にしている。そして、各単板を湾曲成形した後にこのような単板を積層して座シェル１及び背シェル２を成形し、こうして成形された座シェル１及び背シェル２を、その小口端面１ａ、２ａ同士を突き合わせて接合するという工程により、金属板を用いて成形する場合に絞り加工が必要となるような形状の立体構造物を合板により実現できる。
【００２１】
また、これら座シェル１及び背シェル２は、いずれも平面部と、一方向、すなわち後方又は下方に延伸する凹部のみからなるようにしているので、湾曲成形により設けた凹部を屈曲させる別方向にさらに湾曲させ、単板を大きく延伸させる加工が必要なく、各単板に破壊を招く程度の圧縮や伸びを強要することをなくすことができる。
【００２２】
さらに、略同一形状の座シェル１及び背シェル２を、その小口端面１ａ、２ａ同士を突き合わせて接合してなるものとしているので、これら座シェル１及び背シェル２を形成するために必要な型が１つでよく、製造工程を簡素化することができる。
【００２３】
加えて、座シェル１と、背シェル２との間に隙間ＳＰを設けているので、この隙間ＳＰに、このシェル構造体Ｓの外面を被覆する張り地、すなわち椅子の張り地の余剰部分を押し込むことができる。
【００２４】
また、前記座シェル１の小口端面１ａの幅方向中央部の後方に、前記背シェル２の幅方向中央部を配しているので、椅子としての使用時に、座シェル１の小口端面１ａは背シェルにより被覆され、椅子としての見栄えを損なわないようにできる。
【００２５】
そして、２つの座シェル１及び背シェル２が幅方向両端部にそれぞれ平面部である下肘平面部及び上肘平面部を有するとともに、これら下肘平面部及び上肘平面部を接合した部位を肘当て部としているので、背座一体型椅子のシェルとしての一体感をより増すことができる。
【００２６】
なお、本発明は以上に述べた実施形態に限られない。
【００２７】
例えば、上述した実施形態では２つの半成形部品（座シェルと背シェル）の木口面同士を接合して立体構造物（シェル構造体）を形成したが、例えば４つの半成形部品の木口面同士を接合して立体構造物を形成しても良い。この場合の例として、例えば、上述した座シェル及び背シェルの左半部及び右半部をそれぞれ別の半成形部品とし、それぞれを湾曲成形により形成する態様が考えられる。
【００２８】
また、２つの半成形部品を同一形状にする必要もない。例えば、座面の深さ寸法よりも背凭れ面の高さ寸法が大きな背座一体型椅子のシェルを上述した実施形態と同様の方法で形成するようにしてもよい。
【００２９】
加えて、半成形部品が背座一体型椅子のシェル構造体の部品である必要もない。
【００３０】
一方、背座一体型椅子のシェル構造体として利用する場合において、張り地により外面を被覆しないデザインを採用する際には、背シェルと座シェルとの間に隙間を設けない態様を採用してももちろんよい。
【００３１】
そして、上述した実施形態における肘当て部に代えて、左右両端部に向かい下方に向かう傾斜を有するとともに上方に張り出した形状を有する肘当て部を形成してもよい。
【００３２】
その他、本発明の趣旨を逸脱しない範囲で種々変形が可能である。
【図面の簡単な説明】
【００３３】
【図１】本発明の一実施形態に係るシェル構造体を示す斜視図。
【図２】同実施形態に係るシェル構造体を示す底面斜視図。
【図３】同実施形態に係るシェル構造体を示す側面図。
【図４】同実施形態に係るシェル構造体を示す正面図。
【図５】同実施形態に係るシェル構造体を示す分解斜視図。
【符号の説明】
【００３４】
Ｓ…シェル構造体
１…座シェル（半成形部品）
１１…下肘平面部
１３…座部
２…背シェル（半成形部品）
２１…上肘平面部
２３…背凭れ部
【図１】
2008113846.tif 000003
【図２】
2008113846.tif 000004
【図３】
2008113846.tif 000005
【図４】
2008113846.tif 000006
【図５】
2008113846.tif 000007